(57)【要約】【課題】  金属板材という一部材からプレス作業により成型可能で、しかも、布地と噛合するようなことなくポケット等に抜き差し可能で、布地を傷めずに充分な挟持力を発揮する筆記具等のクリップを提供すること。【解決手段】  金属板材からなるクリップ本体１における左右側縁部１ａ，１ｂの先端に左右の半玉形成代部６ｄ，７ｄを延設し、この左半玉形成代部６ｄおよび右半玉形成代部７ｄをクリップ本体１の長手方向の中心軸線ａ側に斜め状に折り返えすと共に当該左半玉形成代部６ｄおよび右半玉形成代部７ｄにおける左右に隣り合う先端部分６ａ，７ａをそれぞれ内側に曲げ込み、横断面略湾曲突状の左半玉形成部６および右半玉形成部７からなる横断面略二山状で且つ谷部５ａを左半玉形成部６と右半玉形成部７の先端部分６ａ，７ａあるいは当該先端部分間の隙間にした玉部５を形成してある。【選択図】  図２
2006334826.tif 000002
【特許請求の範囲】
【請求項１】
金属板材からなるクリップ本体左右側縁部の先端に左右の半玉形成代部を延設し、この左半玉形成代部および右半玉形成代部をクリップ本体の長手方向の中心軸線側に斜め状に折り返えすと共に当該左半玉形成代部および右半玉形成代部における左右に隣り合う先端部分をそれぞれ内側に曲げ込み、横断面略湾曲突状の左半玉形成部および右半玉形成部からなる横断面略二山状で且つ谷部を左半玉形成部と右半玉形成部の先端部分あるいは当該先端部分間の隙間にした玉部を形成してあることを特徴とする筆記具等のクリップ。
【請求項２】
左半玉形成部および右半玉形成部が、クリップ本体の左右側縁部に折り曲げ形成した左右の側板部とそれぞれ連設していることを特徴とする請求項１記載の筆記具等のクリップ。
【発明の詳細な説明】
【技術分野】
【０００１】
本発明は万年筆，ボールペン，シャープペン等の各種の筆記具やその他に有用なクリップに関する。
【背景技術】
【０００２】
特許文献１の図７には、クリップ本体の最先端部を、中間に切れ込みを入れた半円形状に構成し、該半円形部を折返して湾曲させて玉部を形成してあるクリップが掲載され、そして、半円形状部を折返すための切れ込み部分が、玉部の表面に発生するため、この切れ込み部分の隙間がポケット等の布地を噛合する欠点があることも記載されている。
また、かかる欠点を解消するものとして、同文献には図１に筆記具等のクリップが記載されており、構成は、筆記具等のクリップ部を構成する金属板の先端側方に側板突出部を形成すると共に、その金属板の先端に、折曲した時に上記側板突出部の位置に突出部が折曲される長さの細幅の折り代部により、側板突出部の突出高さと湾曲時の高さが略等しい突出部を連結し、該突出部を湾曲させ、折り代部後端より折曲して直立する側板突出部にクリップ先端の玉部を形成してなるものである。
ところが、玉部は、先ず突出部に該当する部分を所定の形状に湾曲させ、次に側板部分をクリップ本体に対して垂直に立ち上げ、その後、折り代部をクリップ内側へ側板に対して直角に屈曲させることにより、突出部および側板突出部によって玉部を構成するものであるため、構造的に突出部と側板突出部との間には隙間が発生し易く、この隙間がポケット等の布地を噛合する欠点が依然としてある。
また、同文献の図３および図６に掲載されているクリップも同様で、突出部と側板突出部との間の隙間がポケット等の布地を噛合する欠点がある。
同文献の図９のように、クリップ先端部の筆記具本体側に、金属あるいはプラスチック等により、クリップ本体とは別に形成された突起物を装着することにより玉部を形成しているものでは、突起物を別途成型し、クリップ本体に別体の突起物を装着することから、工程数が増加し、しかもその作業に細かい精度が要求されるため、歩留り率が低下すると共に、製品単価が上昇する欠点がある。
【特許文献１】実用新案登録第２５７７２６７号公報
【発明の開示】
【発明が解決しようとする課題】
【０００３】
解決しようとする課題は、第１には、金属板材という一部材からプレス作業により成型可能で、しかも、布地と噛合するようなことなくポケット等に抜き差し可能で、布地を傷めずに充分な挟持力を発揮する筆記具等のクリップを、第２には、さらに、クリップ本体の保形力が高い筆記具等のクリップを提供することにある。
【課題を解決するための手段】
【０００４】
本発明は前記した課題を達成するため、以下の構成にしたことを特徴とする。
１．金属板材からなるクリップ本体左右側縁部の先端に左右の半玉形成代部を延設し、この左半玉形成代部および右半玉形成代部をクリップ本体の長手方向の中心軸線側に斜め状に折り返えすと共に当該左半玉形成代部および右半玉形成代部における左右に隣り合う先端部分をそれぞれ内側に曲げ込み、横断面略湾曲突状の左半玉形成部および右半玉形成部からなる横断面略二山状で且つ谷部を左半玉形成部と右半玉形成部の先端部分あるいは当該先端部分間の隙間にした玉部を形成してあることを特徴とする。
２．前記した１において、左半玉形成部および右半玉形成部が、クリップ本体の左右側縁部に折り曲げ形成した左右の側板部とそれぞれ連設していることを特徴とする。
【０００５】
本発明における金属板材はプレスしてクリップ形状に成型可能なものであればよい。また、弾性変形することで、布地等の被挟持物を弾性的に挟持可能あるいはキャップ等の被取付体に弾性的に接触可能な材質のものでもよいし、そうでなくともよい。後者の場合には、キャップ等の被取付体に対する取付構造に前記弾性力が発生するように形成することになる。
横断面略二山状の玉部は、被挟持物あるいは被取付体に対して横断面略湾曲突状の左半玉形成部と右半玉形成部による二点接触および湾曲突状面による丸い点状に接触（丸点接触）でもよいし、二点接触および長円状の接触（線接触）であってもよい。
また、横断面略湾曲突状の左半玉形成部と右半玉形成部をクリップ本体の長手方向に二山状に湾曲形成することで、四点接触および丸点接触あるいは四点接触および線接触するものであってもよい。
玉部における横断面略湾曲突状の左半玉形成部と右半玉形成部間には隙間があってもよいし、なくともよい。したがって、横断面略二山状の玉部における谷部は、左半玉形成部と右半玉形成部における左右に隣り合う先端部分で形成されてもよいし、当該先端部分および同先端部分間の隙間で形成されてもよい。
左右の側板部はあってもよいし、なくともよい。
【発明の効果】
【０００６】
Ａ．請求項１により、金属板材という一部材からプレス作業によりクリップを成型することができる。
しかも、玉部が横断面略湾曲突状の左半玉形成部と右半玉形成部からなる横断面略二山状であるため、二山部分が布地等の被挟持物あるいは筆記具におけるキャップや軸筒等に対して二点接触することになり、隙間の有無に関わりなく、布地と噛合させずにポケット等に抜き差しできる。
また、布等の被挟持物あるいは筆記具におけるキャップや軸筒等に対して横断面略湾曲突状の左半玉形成部と右半玉形成部が丸点接触することになるので、布地を傷めずに済む。
そして、二点接触することで接触力が二分されて半減されるため、一点接触のものと同じ接触力あるいは挾着力を得ようとするのであれば、半分の挾着力或いは接触力で済むことになるので、布地等の被挟持物あるいは筆記具におけるキャップや軸筒等を傷めずに済む。
反対に、左半玉形成部および右半玉形成部にそれぞれ一点接触のものと同じ接触力あるいは挾着力を付与すれば、二倍の挾着力或いは接触力を得られることになる。
また、玉部を形成する左半玉形成部および右半玉形成部を中心軸線側に折返すと共に内側に曲げ込むことで形成してあるため、金属板材はクリップの長手方向の長さすなわち幅の帯板で済むことになり、材料費の軽減に有効である。
Ｂ．請求項２により、さらに、クリップ本体の弾性回復力が増して保形力が高い。
【発明を実施するための最良の形態】
【０００７】
図１〜図３には本発明の筆記具等のクリップにおける実施の１形態を例示しており、金属板材からなるクリップ本体１は、基端裏面側にキャップ取付部２を、左右側縁部１ａ，１ｂ裏面側に左右の側板部３，４を、先端裏面側に玉部５を、それぞれ形成してある。
キャップ取付部２は、クリップ本体１から裏面側に折り曲げて水平状に形成してある。
左右の側板部３，４は、クリップ本体１の左右側縁部１ａ，１ｂから裏面側に折り曲げて垂直状に形成してある。
玉部５は、横断面略湾曲突状の左半玉形成部６および右半玉形成部７からなる横断面略二山状で且つ谷部５ａを左半玉形成部６と右半玉形成部７の先端部分６ａ，７ａで、二つの頂部５ｂを左半玉形成部６と右半玉形成部７の湾曲突部６ｂ，７ｂで、それぞれ形成し、布地８あるいはキャップ９に対して二つの頂部５ｂが二点接触および丸点接触するように形成してある。
そして、キャップ取付部２と玉部５における左半玉形成部６および右半玉形成部７は、左側板部３および右側板部４とそれぞれ連設させて形成してある。
【０００８】
図４には本発明の筆記具等のクリップにおける実施の他の１形態を例示しており、構成は前記した図１の態様のものと基本的に同一であるため、共通している構成の説明は符合を準用して省略し、相違する構成について説明する。
玉部５は、二つの頂部５ｂを左半玉形成部６および右半玉形成部７における横断面略湾曲状で縦断面平坦状の突部６ｃ，７ｃで形成し、布地８あるいはキャップ９に対して二つの頂部５ｂが二点接触および長円状に線接触するように形成してある。
【０００９】
図５には本発明の筆記具等のクリップにおける成型例として前記した図１のクリップについて説明する。
第１工程（図５のａ参照）
金属板材をプレスし、クリップ本体１における基端にキャップ取付代部２ａを、左右側縁部１ａ，１ｂに左側板代部３ａおよび右側板代部４ａを、左右側縁部１ａ，１ｂの先端に左半玉形成代部６ｄおよび右半玉形成代部７ｄを、それぞれ成型する。
第２工程（図５のｂ参照）
プレスし、キャップ取付代部２ａと、左側板代部３ａおよび右側板代部４ａと、左半玉形成代部６ｄおよび右半玉形成代部７ｄを、それぞれ裏面側に折り曲げる。
第３工程（図５のｃ参照）
プレスし、左右の半玉形成代部６ｄ，７ｄをクリップ本体１の長手方向の中心軸線ａ側に斜め状に折り返えすと共に当該左半玉形成代部６ｄおよび右半玉形成代部７ｄにおける左右に隣り合う先端部分６ａ，７ａをそれぞれ内側に曲げ込み、横断面略湾曲突状の左半玉形成部６および右半玉形成部７からなる横断面略二山状で且つ谷部５ａが左半玉形成部６の先端部分６ａと右半玉形成部７の先端部分７ａからなる玉部５を成型する。
第４工程（図５のｄ参照）
プレスしてキャップ取付部２を穴あけ成型し、メッキしてクリップを得る。
【００１０】
図示していないが、クリップ本体１は、玉部５における谷部５ａを左半玉形成部６と右半玉形成部７の先端部分６ａ，７ａ間に隙間がある態様に形成していてもよい。この場合にも、二つの頂部５ｂは左半玉形成部６と右半玉形成部７の湾曲突部６ｂ，７ｂで、それぞれ形成され、布地８あるいはキャップ９に対して二点接触および丸点接触または長円状に線接触するようになる。
【図面の簡単な説明】
【００１１】
【図１】本発明の筆記具等のクリップにおける実施の１形態を例示している背面図。
【図２】玉部の拡大横断端面図。
【図３】部分拡大側面図。
【図４】本発明の筆記具等のクリップにおける実施の他の１形態を例示している部分拡大側面図。
【図５】（ａ）〜（ｄ）は図１のクリップの成型過程を順に示す各斜視図。
【符号の説明】
【００１２】
１  クリップ本体
１ａ  左側縁部
１ｂ  右側縁部
２  キャップ取付部
２ａ  キャップ取付代部
３  左側板部
３ａ  左側板代部
４  右側板部
４ａ  右側板代部
５  玉部
５ａ  谷部
５ｂ  頂部
６  左半玉形成部
６ａ，７ａ  先端部分
６ｂ，７ｂ  湾曲突部
６ｃ，７ｃ  突部
６ｄ  左半玉形成代部
７  右半玉形成部
７ｄ  右半玉形成代部
８  布地
９  キャップ
ａ  中心軸線
【図１】
2006334826.tif 000003
【図２】
2006334826.tif 000004
【図３】
2006334826.tif 000005
【図４】
2006334826.tif 000006
【図５】
2006334826.tif 000007